(57)【要約】【課題】  可動部を移動させる駆動部と、可動部の対物レンズとの間の距離を短くして、光ピックアップ全体を小型軽量化し部品点数を少なくする光ピックアップを提供する。【解決手段】  レンズオフセットタイプの光ピックアップ１は、対物レンズ２が設けられフォーカスコイル７およびトラッキングコイル８で対物レンズ２の位置を調整可能な可動部３と、可動部を支持する支持ワイヤ４と、支持ワイヤを支持する支持台５と、支持台が取付けられフォーカスコイルおよびトラッキングコイルとの間でそれぞれ磁気回路を構成する一つの永久磁石９が取付けられたヨーク部６とを備えている。永久磁石は対物レンズに近づけて配置され、フォーカスコイルとトラッキングコイルは、永久磁石による磁束Ｈがそれぞれ鎖交するように配置されている。【選択図】    図１
2006040474.tif 000002
【特許請求の範囲】
【請求項１】
光ディスクの記録面上に光を集光させるための対物レンズが設けられ、前記光ディスクに対する前記対物レンズの位置をフォーカスコイルおよびトラッキングコイルで調整可能な可動部と、
この可動部を移動可能に支持する複数の支持ワイヤと、
この支持ワイヤを支持する支持台と、
この支持台が取付けられ、前記フォーカスコイルおよび前記トラッキングコイルとの間でそれぞれ磁気回路を構成する一つの永久磁石が取付けられたヨーク部とを備えたレンズオフセットタイプの光ピックアップであって、
前記永久磁石は前記対物レンズに近づけて配置され、前記フォーカスコイルと前記トラッキングコイルは、前記永久磁石による磁束がそれぞれ鎖交するように配置されていることを特徴とする光ピックアップ。
【請求項２】
前記ヨーク部のヨークには前記一つの永久磁石が取付けられ、
前記フォーカスコイルは、この永久磁石を囲うように配置されるとともに前記可動部の本体部に設けられ、
前記トラッキングコイルは、前記可動部本体部と前記フォーカスコイルとの間に配置されていることを特徴とする請求項１に記載の光ピックアップ。
【請求項３】
光ディスクの記録面上に光を集光させるための対物レンズと一つの永久磁石を設けた可動部と、
この可動部を移動可能に支持する複数の支持ワイヤと、
この支持ワイヤを支持する支持台と、
この支持台が取付けられ、前記永久磁石との間でそれぞれ磁気回路を構成するフォーカスコイルおよびトラッキングコイルを支持する基台とを備えたレンズオフセットタイプの光ピックアップであって、
前記フォーカスコイルおよび前記トラッキングコイルは、それぞれ前記対物レンズに近づけて配置されるとともに前記永久磁石による磁束が鎖交するように配置されていることを特徴とする光ピックアップ。
【請求項４】
前記可動部の本体部には前記永久磁石が取付けられ、前記フォーカスコイルは、前記永久磁石に対向して配置されるとともに前記トラッキングコイルを囲うようにして取付けられていることを特徴とする請求項３に記載の光ピックアップ。
【発明の詳細な説明】
【技術分野】
【０００１】
本発明は、光ディスクの記録面上に対物レンズで光を集光させて情報の記録，再生などを行う光ピックアップに関する。
【背景技術】
【０００２】
光ピックアップは、光ディスク再生装置および光ディスク記録再生装置などの光ディスク装置（たとえば、ＤＶＤレコーダー，ＣＤプレーヤー）に使用される。また、光ディスク装置はＰＣ（パーソナルコンピューター）にも搭載されている。
光ピックアップは、記録媒体である光ディスクの記録面上に光たとえばレーザー光を集光させて情報の記録，再生などを行う装置である。光ピックアップは可動部を有しており、この可動部は、複数の支持ワイヤを介して支持台に支持されて移動可能である。
可動部は、レーザー光を集光させるための対物レンズと、光ディスクに対する対物レンズの位置を調整するためのフォーカスコイルおよびトラッキングコイルとを有している場合がある。
【０００３】
光ピックアップには、対物レンズが可動部の中央部に配置された「レンズセンタータイプ」の光ピックアップと、対物レンズが可動部の中央部より一方側に偏心して配置された「レンズオフセットタイプ」の光ピックアップとがある。
近年のＰＣの小型化，ポータブルタイプの普及などにより、光ディスク装置の小型化も急務になっている。そのため、光ディスク装置に搭載される光ピックアップに関しても、それ自体の小型化，薄型化，軽量化の要求がますます厳しくなってきている。
上述のレンズセンタータイプの光ピックアップと比べて、レンズオフセットタイプの光ピックアップは、対物レンズの下部にスペースがある。したがって、この下部スペースに光学系の鏡などを配置することができるので、薄型化の点ではレンズオフセットタイプの光ピックアップの方が有利である。
【０００４】
特許文献１（特許第３３１５９５０号公報）には、レンズオフセットタイプの対物レンズアクチュエータ（本発明の光ピックアップに相当）が記載されている。
図５は、特許文献１に記載の構成に相当するレンズオフセットタイプの従来の光ピックアップの平面図である。図５に示すように、光ピックアップ１０１における可動部１０２は、支持ワイヤ１０３を介して支持台１０４に支持されて移動可能である。可動部１０２は、対物レンズ１０５，フォーカスコイル１０６およびトラッキングコイル１０７を有している。
ヨーク部１０８には、フォーカスコイル１０６およびトラッキングコイル１０７との間でそれぞれ磁気回路を構成する二つの永久磁石１０９，１１０が取付けられている。永久磁石１０９，１１０は、対向配置されて、ヨーク部１０８のヨーク１１１，１１２にそれぞれ取付けられている。
【特許文献１】特許第３３１５９５０号公報
【発明の開示】
【発明が解決しようとする課題】
【０００５】
特許文献１に記載の対物レンズアクチュエータ（光ピックアップ）や、図５に示す光ピックアップ１０１では、二つの永久磁石１０９，１１０を配置して、その間にフォーカスコイル１０６とトラッキングコイル１０７を挟み込む配置になっている。
その結果、可動部１０２を移動させるための駆動部と、対物レンズ１０５との間の距離（たとえば、駆動部における駆動点Ａ1と、対物レンズ１０５の中心位置すなわち光軸Ｂとの間の距離Ｌ0）が長くなって、光ピックアップ１０１自体が大型化する傾向があり、駆動部で発生した駆動力が可動部に伝達されるまでに時間がかかり、駆動部は、高域の周波数帯では追従動作ができないという問題がある。
また、永久磁石が二個（永久磁石１０９と永久磁石１１０）必要で、二つの永久磁石１０９，１１０を取付けるためのヨークも二個（ヨーク１１１とヨーク１１２）必要なので、光ピックアップ１０１は部品点数が多くなっていた。
さらに、コイル１０６，１０７を保持するコイルホルダ１１３を可動部１０２に設けているので、可動部１０２が重くなり且つその部品点数も多くなっていた。
【０００６】
本発明は、このような課題を解決するためになされたもので、可動部を移動させるための駆動部と、可動部に設けられた対物レンズとの間の距離を短くして、光ピックアップ全体を小型軽量化するとともに部品点数を少なくすることができる光ピックアップを提供することを目的とする。
【課題を解決するための手段】
【０００７】
上述の目的を達成するため、本発明にかかる光ピックアップは、光ディスクの記録面上に光を集光させるための対物レンズが設けられ、前記光ディスクに対する前記対物レンズの位置をフォーカスコイルおよびトラッキングコイルで調整可能な可動部と、この可動部を移動可能に支持する複数の支持ワイヤと、この支持ワイヤを支持する支持台と、この支持台が取付けられ、前記フォーカスコイルおよび前記トラッキングコイルとの間でそれぞれ磁気回路を構成する一つの永久磁石が取付けられたヨーク部とを備えたレンズオフセットタイプの光ピックアップであって、前記永久磁石は前記対物レンズに近づけて配置され、前記フォーカスコイルと前記トラッキングコイルは、前記永久磁石による磁束がそれぞれ鎖交するように配置されている。
この光ピックアップにおいて、前記ヨーク部のヨークには前記一つの永久磁石が取付けられ、前記フォーカスコイルは、この永久磁石を囲うように配置されるとともに前記可動部の本体部に設けられ、前記トラッキングコイルは、前記可動部本体部と前記フォーカスコイルとの間に配置されているのが好ましい。
本発明の他の実施態様にかかる光ピックアップは、光ディスクの記録面上に光を集光させるための対物レンズと一つの永久磁石を設けた可動部と、この可動部を移動可能に支持する複数の支持ワイヤと、この支持ワイヤを支持する支持台と、この支持台が取付けられ、前記永久磁石との間でそれぞれ磁気回路を構成するフォーカスコイルおよびトラッキングコイルを支持する基台とを備えたレンズオフセットタイプの光ピックアップであって、前記フォーカスコイルおよび前記トラッキングコイルは、それぞれ前記対物レンズに近づけて配置されるとともに前記永久磁石による磁束が鎖交するように配置されている。
この光ピックアップにおいて、前記可動部の本体部には前記永久磁石が取付けられ、前記フォーカスコイルは、前記永久磁石に対向して配置されるとともに前記トラッキングコイルを囲うようにして取付けられているのが好ましい。
【発明の効果】
【０００８】
本発明の光ピックアップは、上述のように構成したので、可動部を移動させるための駆動部と、可動部に設けられた対物レンズとの間の距離を短くして、光ピックアップ全体を小型軽量化するとともに部品点数を少なくすることができる。
【発明を実施するための最良の形態】
【０００９】
レンズオフセットタイプの光ピックアップにおいて、駆動部と対物レンズとの間の距離を短くして光ピックアップ全体を小型軽量化し部品点数を少なくするという目的を、一つの永久磁石を対物レンズに近づけて配置し、この永久磁石による磁束（いわゆる、オープン磁束）が鎖交するようにフォーカスコイルとトラッキングコイルをそれぞれ配置するという構成により実現している。
【実施例】
【００１０】
以下、本発明にかかる実施例を図１ないし図４を参照して説明する。
図１ないし図４は本発明の実施例を示す図で、図１は、一実施例にかかる光ピックアップ１の平面図、図２は、図１に示す光ピックアップ１の右側面図、図３は、変形例にかかる光ピックアップ１ａの平面図、図４は、図３に示す光ピックアップ１ａの右側面図である。
【００１１】
図１ないし図４において、光ディスク装置（図示せず）に使用される光ピックアップ１，１ａは、移動機構（図示せず）により、記録媒体である光ディスクの半径方向に制御されつつ移動可能になっている。
光ディスク装置において、光ディスクを駆動モータで回転駆動するとともに、移動機構で所望の位置に光ピックアップ１，１ａを移動させる。そして、光ピックアップ１，１ａは、光ディスクの記録面上に対物レンズ２で光（たとえば、レーザー光）を集光させて、光ディスクに対して情報の記録，再生などを行う。
光ピックアップ１，１ａは、対物レンズ２が可動部３，３ａの中央部より一方側に偏心して配置された「レンズオフセットタイプ」の光ピックアップである。
光ディスクとしては、ＤＶＤ−ＲＯＭ，ＤＶＤ−ＲＡＭ，ＤＶＤ−Ｒ，ＤＶＤ−ＲＷ，ＣＤ，ＣＤ−ＲＯＭ，ＣＤ−Ｒ，ＣＤ−ＲＷ，ＭＤ，ＭＯなどがある。
【００１２】
図１，図２に示す光ピックアップ１は、可動部３，支持ワイヤ４，支持台５およびヨーク部（継鉄部）６などを備えている。
可動部３には、フォーカスコイル７およびトラッキングコイル８と、光ディスクの記録面上にレーザー光などの光を集光させるための対物レンズ２とが設けられている。可動部３のフォーカスコイル７とトラッキングコイル８にそれぞれ電流を流すことにより、光ディスクに対する対物レンズ２の位置を調整可能である。
光ピックアップ１は、永久磁石９が固定側に配置され、可動部３にコイル７，８が取付けられて移動するので、「コイル移動（moving coil）タイプ（いわゆる、ＭＣタイプ）」と呼ばれている。
【００１３】
なお、説明の便宜上、対物レンズ２の光軸Ｂと平行な方向すなわちフォーカス方向をＸ方向とし、特に、光ディスク側，反光ディスク側をそれぞれ上方向，下方向とする。
このＸ方向と直交する方向（光ディスクの半径方向）すなわちトラッキング方向をＺ方向とし、Ｘ方向およびＺ方向と直交する方向をＹ方向とする。特に、図１の左右方向を光ピックアップ１の左右方向（Ｚ方向）とする。
【００１４】
ヨーク部６は磁性体により形成されており、ヨーク部６には支持台５が取付けられている。支持台５は複数（ここでは、四本）の支持ワイヤ４を支持しており、この四本の支持ワイヤ４は可動部３を移動可能に支持している。
フォーカスコイル７およびトラッキングコイル８との間でそれぞれ磁気回路を構成する一つの永久磁石９が、ヨーク部６の所定位置に取付けられている（たとえば、図１，図２では、永久磁石９はヨーク１０に取付けられている）。
一つの永久磁石９は対物レンズ２に近づけて配置されている。フォーカスコイル７とトラッキングコイル８は、一つの永久磁石９による磁束（いわゆる、オープン磁束）Ｈがそれぞれ鎖交するように配置されている。
そして、磁気回路を構成しているフォーカスコイル７，トラッキングコイル８，ヨーク部６（ヨーク１０）および永久磁石９は、可動部３を移動させるための駆動部１１を構成し、その磁束中心［可動部３に対して作用する駆動力の中心となる位置（駆動点）］は、図１の点Ａ2で示される。したがって、磁束中心（駆動点）Ａ2と、可動部３に設けられた対物レンズ２の中心（光軸Ｂの位置）との間の距離Ｌが短くなるので、光ピックアップ１全体を小型軽量化することができる。
光ピックアップ１に設けられる永久磁石９が一つのみで済み、これを支持するヨーク部６の構成も簡略化するので、光ピックアップ１を小型軽量化するとともにその部品点数を少なくすることができる。
【００１５】
可動部３に設けられたフォーカスコイル７とトラッキングコイル８には、支持ワイヤ４を介してそれぞれ電流が供給される。フォーカスコイル７に電流を流せば、可動部３をフォーカス方向（対物レンズ２の光軸Ｂと平行な方向（Ｘ方向））に移動させることができる。トラッキングコイル８に電流を流せば、可動部３をトラッキング方向（光ディスクの半径方向（Ｚ方向））に移動させることができる。
【００１６】
可動部３は、所定形状の本体部２０を有しており、本体部２０は、絶縁性を有する樹脂材料などにより一体的に形成されている。対物レンズ２，フォーカスコイル７およびトラッキングコイル８などは、本体部２０の所定位置に設けられている。
本体部２０は、レンズ支持部２１とコイル支持部２２とを有して、側面視でＬ字状（または、逆Ｌ字状）に一体形成されている。レンズ支持部２１の上面には対物レンズ２が取付けられ、コイル支持部２２には、フォーカスコイル７とトラッキングコイル８とが取付けられている。
一つのフォーカスコイル７と二つのトラッキングコイル８とにより、コイルユニットが構成され、このコイルユニットがコイル支持部２２の外面側に取付けられている。また、コイル支持部２２には四つの支持ワイヤ４が接続されている。
フォーカスコイル７は、一つの永久磁石９を囲うように配置されるとともに、可動部３の本体部２０に設けられている。フォーカスコイル７は、空心コイルであり、その巻軸が対物レンズ２の光軸Ｂと平行（Ｘ方向と平行）になるようにコイル支持部２２に支持されている。トラッキングコイル８は、可動部の本体部２０とフォーカスコイル７との間に配置されている。
【００１７】
このようにすれば、フォーカスコイル７，トラッキングコイル８，永久磁石９およびヨーク１０などからなる駆動部１１を、コンパクトにして対物レンズ２のすぐ近くに配置することができるので、駆動点Ａ2と対物レンズ２の中心位置との間の距離Ｌを短くすることができる。その結果、光ピックアップ１は、駆動部１１で発生した駆動力を瞬時に可動部３に伝達することができ、高域の周波数帯での追従動作が可能になる。
二つのトラッキングコイル８は、Ｚ方向に並んで配置され、フォーカスコイル７とコイル支持部２２との間に挟まれた状態で固着されている。各トラッキングコイル８は、空心コイルであり、それぞれの巻軸の方向がＹ方向と平行になっている。
コイル７，８を直接本体部２０に取付けているので、従来必要であったコイルホルダを可動部３に設ける必要がなくなり、可動部３が軽量化するとともに部品点数が少なくなる。
【００１８】
ヨーク部６は、所定形状に形成され、光ディスク装置のケースまたはベース部材（図示せず）などの固定側に固定されている。ヨーク部６は、平面視でほぼ矩形の板状に形成され光ディスク装置の固定側に取付けられた基台２３と、基台２３に一体的にまたは別体で（ここでは、一体的に）ほぼ直角に固定され且つフォーカスコイル７より内方側に配置された一つのヨーク１０とを有している。
一つの永久磁石９は、フォーカスコイル７の内方をＸ方向に貫通し、トラッキングコイル８に対向してこれと平行に配置されている。永久磁石９は、ヨーク部６のヨーク１０に（および／または、直接基台２３に）接着剤により固着されている。
【００１９】
フォーカスコイル７と、その内方に配置されたヨーク１０および一つの永久磁石９との間で、駆動部１１の磁気回路が構成されている。フォーカスコイル７は、永久磁石９の磁束（オープン磁束）Ｈが鎖交するように配置されている。
二つのトラッキングコイル８は、それぞれの巻軸がフォーカスコイル７の巻軸と直交するように巻回されている。二つのトラッキングコイル８は、一つの永久磁石９が形成する磁界中に配置されて駆動部１１の磁気回路を構成している。二つのトラッキングコイル８は、永久磁石９の磁束（オープン磁束）Ｈがそれぞれ鎖交するように配置されている。
【００２０】
支持ワイヤ４は、可動部３の両端にＹ方向とほぼ平行にそれぞれ二本ずつ合計四本設けられている。支持ワイヤ４は、その一端部（支持台５から遠い方の端部）が可動部３側に固定され、他端部が支持台５側に固定されている。
可動部３は、四本の支持ワイヤ４を介して、支持台５とヨーク部６との間の空間に浮いている格好で取付けられている。したがって、可動部３は、移動や揺動などの動作を行なって、可動部３の状態（可動部３の位置，姿勢など）を自在に変化させることができる。
可動部３は、フォーカスコイル７とトラッキングコイル８に電流が供給されていないときの基本位置から、フォーカスコイル７とトラッキングコイル８の一方または両方に電流を供給することにより、上下方向（Ｘ方向）や左右方向（Ｚ方向）にシフト（移動）することができる。
ここで「可動部３の基本位置」とは、たとえば、フォーカスコイル７とトラッキングコイル８に電流を供給しないで可動部３が静止している状態のとき、可動部３の上下，左右の中心線がともに基準線（図示せず）と一致しているときの、可動部３の位置をいう。好ましくは、対物レンズ２の光軸Ｂが、水平面に対して直角になるとともに、Ｚ方向の基準線（中心線）と一致する位置にあるときに、可動部３が基本位置にあることになる。
【００２１】
支持ワイヤ４が接続されるプリント配線板が、支持台５に固着されている。プリント配線板には、支持ワイヤ４を係合させるための複数（ここでは、四つ）の孔が所定位置に穿設されている。支持台５には、支持ワイヤ４を貫通させるための複数（ここでは、四つ）の貫通孔が所定位置に穿設されている。
支持ワイヤ４の他端部またはその近傍は、プリント配線板の孔を通ってプリント配線板に電気的に接続されるとともに、支持台５側に固定されている。支持ワイヤ４の一端部またはその近傍は、可動部３のコイル支持部２２に固定されるとともに、フォーカスコイル７またはトラッキングコイル８に電気的に接続されている。
フォーカスコイル７と二つのトラッキングコイル８は、支持ワイヤ４と、この支持ワイヤ４が電気的に接続されたプリント配線板とによって、制御部（図示せず）に電気的に接続されている。
【００２２】
光ピックアップ１は光学系１２を有しており、この光学系１２は、レーザー光を発生する半導体レーザーなど光源，光検出器，反射ミラー１３，レンズおよび回折格子などを有している。
対物レンズ２もこの光学系に含まれる。反射ミラー１３などは、可動部３における対物レンズ２の下方のスペースＳに収納されているので、光ピックアップ１全体を薄型化することができる。
光検出器は、光ディスクの記録面で反射したレーザー光を受光し、再生信号を検出するとともに、フォーカスエラー信号，トラッキングエラー信号なども検出する。
【００２３】
次に、光ピックアップ１の動作について説明する。
まず、光ディスク装置において、光ディスクが駆動モータにより回転駆動されている状態で、移動機構により光ピックアップ１を所望の位置に移動させる。そして、光学系１２で発生したレーザー光を反射ミラー１３などを介して対物レンズ２で記録面上に集光させて、光ディスクに対して情報の記録，再生などを行う。
光ピックアップ１の状態（可動部３の位置，姿勢など）を制御する場合には、光検出器で検出された光ディスクの傾きなどの姿勢制御に関する情報を変換部で電気信号に変換し、制御部に電気信号（フォーカスエラー信号，トラッキングエラー信号など）として出力する。
制御部では、変換部から出力された電気信号（フォーカスエラー信号，トラッキングエラー信号など）に基づいて、フォーカスコイル７に流す電流とトラッキングコイル８に流す電流をそれぞれ制御する。
【００２４】
対物レンズ２をフォーカス方向（Ｘ方向）に移動させる場合には、制御部は、移動すべき方向および移動量に応じた制御電流を、支持ワイヤ４を介してフォーカスコイル７に供給する。すると、フォーカスコイル７により生じる電磁力により、可動部３が光ディスクに対してフォーカス方向（Ｘ方向）に移動（シフト）して、対物レンズ２の位置を調整する。
同様に、支持ワイヤ４を介して二つのトラッキングコイル８に供給する電流を制御すれば、トラッキングコイル８により生じる電磁力により、可動部３が光ディスクのトラッキング方向（Ｚ方向）に移動（シフト）して、対物レンズ２の位置を調整する。
このようにして、可動部３は、フォーカス方向，トラッキング方向にそれぞれ移動するようにその位置が制御される。
【００２５】
次に、図３，図４に示す変形例にかかる光ピックアップ１ａについて説明する。なお、上述の本実施例にかかる光ピックアップ１と同一または相当部分には同一符号を付してその説明を省略し、異なる部分のみ説明する。
光ピックアップ１ａは、可動部３ａ，支持ワイヤ４，支持台５および基台２５などを備えている。
可動部３ａには、対物レンズ２と一つの永久磁石９ａとが設けられている。一つの永久磁石９ａに対向して基台２５に設けられたフォーカスコイル７ａとトラッキングコイル８ａにそれぞれ電流を流すことにより、光ディスクに対する対物レンズ２の位置を調整可能である。
光ピックアップ１ａは、コイル７ａ、８ａが固定側に配置され、永久磁石９ａが可動部３ａに取付けられて移動するので、「永久磁石移動（moving magnet）タイプ（いわゆる、ＭＭタイプ）」と呼ばれている。
【００２６】
基台２５は磁性体により形成されており、基台２５には支持台５が取付けられている。支持台５は複数（ここでは、四本）の支持ワイヤ４を支持しており、この四本の支持ワイヤ４は可動部３ａを移動可能に支持している。
一つの永久磁石９ａとの間でそれぞれ磁気回路を構成するためのフォーカスコイル７ａとトラッキングコイル８ａが、基台２５の所定位置に取付けられている。
フォーカスコイル７ａおよびトラッキングコイル８ａは、それぞれ対物レンズ２に近づけて配置されるとともに、永久磁石９ａによる磁束（すなわち、オープン磁束）Ｈが鎖交するように配置されている。
フォーカスコイル７ａ，トラッキングコイル８ａ，基台２５および永久磁石９ａは、可動部３ａを移動させるための駆動部１１ａを構成し、その磁束中心［可動部３ａに対して作用する駆動力の中心となる位置（駆動点）］は、図３の点Ａ２で示される。
このように、駆動部１１ａの磁束中心（駆動点）Ａ２と、可動部３ａに設けられた対物レンズ２の中心（光軸Ｂの位置）との間の距離Ｌが短くなるので、光ピックアップ１ａ全体を小型軽量化することができる。
永久磁石９ａが一つのみで済み、ヨークも省略できるので、光ピックアップ１ａを小型軽量化するとともにその部品点数を少なくすることができる。
可動部３ａには一つの永久磁石９ａを直接取付ければよいので、従来必要であったコイルホルダを可動部３ａに設ける必要がなくなり、可動部３ａが軽量化するとともにその部品点数が少なくなる。
【００２７】
基台２５にはボビン３０が取付けられており、ボビン３０は永久磁石９ａに対向して永久磁石９ａのすぐ近くに配置されている。ボビン３０の巻枠には、フォーカスコイル７ａとトラッキングコイル８ａがそれぞれ巻回されている。
フォーカスコイル７ａとトラッキングコイル８ａにはそれぞれ電流が供給される。フォーカスコイル７ａに電流を流せば、可動部３ａをフォーカス方向に移動させることができる。トラッキングコイル８ａに電流を流せば、可動部３ａをトラッキング方向に移動させることができる。
【００２８】
可動部３ａは、所定形状の本体部２０を有しており、本体部２０は、絶縁性を有する樹脂材料などにより一体的に形成されている。対物レンズ２，一つの永久磁石９ａなどは、本体部２０の所定位置に設けられている。
本体部２０は、レンズ支持部２１と磁石支持部２４とを有して側面視でＬ字状（または、逆Ｌ字状）に一体形成されている。レンズ支持部２１の上面には対物レンズ２が取付けられており、磁石支持部２４の外面には永久磁石９ａが取付けられている。永久磁石９ａは、フォーカスコイル７ａとトラッキングコイル８ａに対向して、磁石支持部２４に接着剤により固着されている。
基台２５は、光ディスク装置のケースまたはベース部材（図示せず）などの固定側に固定され、所定形状に形成されている。基台２５は、平面視でほぼ矩形の板状に形成されて光ディスク装置の固定側に取付けられており、その上面側にボビン３０が支持されている。
【００２９】
フォーカスコイル７ａと一つの永久磁石９ａとの間で、駆動部１１ａの磁気回路が構成されている。フォーカスコイル７ａは、永久磁石９ａの磁束（オープン磁束）Ｈが鎖交するように配置されている。
トラッキングコイル８ａは、その巻軸がフォーカスコイル７ａの巻軸と直交するように巻回されており、フォーカスコイル７ａの内方に配置されている。トラッキングコイル８ａは、永久磁石９ａが形成する磁界中に配置されて駆動部１１ａの磁気回路を形成している。トラッキングコイル８ａは、一つの永久磁石９ａの磁束（オープン磁束）Ｈが鎖交するように配置されている。
【００３０】
フォーカスコイル７ａは、一つの永久磁石９ａに対向して配置されるとともに、トラッキングコイル８ａを囲うようにして基台２５に取付けられている。これにより、フォーカスコイル７ａ，トラッキングコイル８ａ，一つの永久磁石９ａなどで構成される駆動部１１ａを、コンパクトな構成にして対物レンズ２に近づけて配置することができる。
その結果、駆動部１１ａの駆動点Ａ2と対物レンズ２との間の距離Ｌを短くすることができる。これにより、光ピックアップ１ａは、高次共振が起こり難くなって高い周波数域でも動作可能になり、また、全体のバランスを採りやすくなる。
【００３１】
支持ワイヤ４は、可動部３ａの両端にＹ方向とほぼ平行にそれぞれ二本ずつ合計四本設けられている。支持ワイヤ４は、その一端部（支持台５から遠い方の端部）が可動部３ａ側に固定され、他端部が支持台５側に固定されている。
可動部３ａは、四本の支持ワイヤ４を介して、支持台５と基台２５との間の空間に浮いている格好で取付けられている。したがって、可動部３ａは、移動や揺動などの動作を行なって、可動部３ａの状態（可動部３ａの位置，姿勢など）を自在に変化させることができる。
可動部３ａは、フォーカスコイル７ａとトラッキングコイル８ａに電流が供給されていないときの基本位置から、フォーカスコイル７ａとトラッキングコイル８ａの一方または両方に電流を供給することにより、上下方向（Ｘ方向）や左右方向（Ｚ方向）にシフト（移動）することができる。
支持台５には、支持ワイヤ４を貫通させるための複数（ここでは、四つ）の貫通孔が所定位置に穿設されている。支持ワイヤ４の他端部またはその近傍は、貫通孔を通って支持台５側に固定されている。
【００３２】
ボビン３０が基台２５側に配置されているので、支持ワイヤ４には電流を流す必要はない。フォーカスコイル７ａとトラッキングコイル８ａは、基台２５に取付けられたプリント配線板を介して制御部に電気的に接続されている。
光ピックアップ１ａは、光ピックアップ１と同様な光学系１２を有している。反射ミラー１３などは、可動部３ａにおける対物レンズ２の下方のスペースＳに収納されているので、光ピックアップ１ａ全体を薄型化することができる。
【００３３】
次に、光ピックアップ１ａの動作について説明する。
光ディスク装置において、光ディスクが駆動モータにより回転駆動されている状態で、移動機構により光ピックアップ１ａを所望の位置に移動させ、光学系１２で発生したレーザー光を反射ミラー１３などを介して対物レンズ２で記録面上に集光させて、光ディスクに対して情報の記録，再生などを行う。これらの点は、上述の光ピックアップ１と同様である。
光ピックアップ１ａの状態（可動部３ａの位置，姿勢など）を制御する場合には、光検出器で検出された光ディスクの傾きなどの姿勢制御に関する情報を変換部で電気信号に変換し、制御部に電気信号（フォーカスエラー信号，トラッキングエラー信号など）として出力する。
制御部では、変換部から出力された電気信号（フォーカスエラー信号，トラッキングエラー信号など）に基づいて、フォーカスコイル７ａに流す電流とトラッキングコイル８ａに流す電流をそれぞれ制御する。
【００３４】
対物レンズ２をフォーカス方向（Ｘ方向）に移動させる場合には、制御部は、移動すべき方向および移動量に応じた制御電流を、フォーカスコイル７ａに供給する。すると、フォーカスコイル７ａにより生じる電磁力により、可動部３ａが光ディスクに対してフォーカス方向（Ｘ方向）に移動（シフト）して、対物レンズ２の位置を調整する。
同様に、トラッキングコイル８ａに供給する電流を制御すれば、トラッキングコイル８ａにより生じる電磁力により、可動部３ａが光ディスクのトラッキング方向（Ｚ方向）に移動（シフト）して、対物レンズ２の位置を調整する。
このようにして、可動部３ａは、フォーカス方向，トラッキング方向にそれぞれ移動するようにその位置が制御される。
【００３５】
上述のように、本発明では、光ピックアップ１，１ａ全体を小型軽量化できるので、小さい磁力で可動部３，３ａを感度よく移動させることができ、また、可動部３，３ａ，ヨーク部６，基台２５などの剛性が向上し、周波数特性が改善されて追従性が良好になる。
以上、本発明の実施例（変形例を含む。以下同じ）を説明したが、本発明は、上述の実施例に限定されるものではなく、本発明の要旨の範囲で種々の変形，付加などが可能である。
なお、各図中同一符号は同一または相当部分を示す。
【産業上の利用可能性】
【００３６】
本発明は、ＤＶＤ，ＣＤなどの光ディスクの記録面上に対物レンズでレーザー光などを集光させて情報の記録，再生などを行う光ディスク装置に取付けられる光ピックアップに適用される。
【図面の簡単な説明】
【００３７】
【図１】図１ないし図４は本発明の実施例を示す図で、図１は、一実施例にかかる光ピックアップの平面図である。
【図２】図１に示す光ピックアップの右側面図である。
【図３】変形例にかかる光ピックアップの平面図である。
【図４】図３に示す光ピックアップの右側面図である。
【図５】従来の光ピックアップの平面図である。
【符号の説明】
【００３８】
１，１ａ  光ピックアップ
２        対物レンズ
３，３ａ  可動部
４        支持ワイヤ
５        支持台
６        ヨーク部
７，７ａ  フォーカスコイル
８，８ａ  トラッキングコイル
９，９ａ  永久磁石
１０      ヨーク
２０      可動部の本体部
２５      基台
Ｈ        磁束
【図１】
2006040474.tif 000003
【図２】
2006040474.tif 000004
【図３】
2006040474.tif 000005
【図４】
2006040474.tif 000006
【図５】
2006040474.tif 000007